【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
複数のキャビティを画定する支持部材、
前記複数のキャビティのうちの対応する１つのキャビティに配設されている複数のリチウムイオンコア部材、および
前記リチウムイオンコア部材の１つ以上に近接して配置されている１つ以上の吸熱材料
を備えた、マルチコアリチウムイオン電池。
【請求項２】
前記支持部材が運動エネルギー吸収材料を含む、請求項１に記載のリチウムイオン電池。
【請求項３】
前記運動エネルギー吸収材料が、アルミニウム発泡体、セラミック、セラミックファイバーおよびプラスチックのうちの１つから形成されている、請求項２に記載のリチウムイオン電池。
【請求項４】
前記リチウムイオンコア部材のうちの対応する１つと前記キャビティのうちの対応する１つの表面との間にそれぞれが配置されている、複数のキャビティライナーをさらに備えており、前記キャビティライナーがプラスチック材料またはアルミニウム材料から形成されている、請求項１に記載のリチウムイオン電池。
【請求項５】
前記複数のキャビティライナーが、モノリシックライナー部材の一部として形成されている、請求項４に記載のリチウムイオン電池。
【請求項６】
内部に前記支持部材が配置されている密封筐体をさらに含んでおり、前記密封筐体が難燃部材を含む、請求項１に記載のリチウムイオン電池。
【請求項７】
前記難燃部材が、前記筐体の外部に取り付けられた難燃メッシュ材料を含む、請求項６に記載のリチウムイオン電池。
【請求項８】
前記１つ以上の吸熱材料の少なくとも１つが、セラミックマトリックス内に含まれている、請求項１に記載のリチウムイオン電池。
【請求項９】
前記１つ以上の吸熱材料の少なくとも１つが、無機ガス発生吸熱材料である、請求項１に記載のリチウムイオン電池。
【請求項１０】
前記１つ以上の吸熱材料が、近接した前記１つ以上のリチウムイオンコア部材に関連する上限の正常動作温度以上において、断熱特性をもたらすことが可能である、請求項１に記載のリチウムイオン電池。
【請求項１１】
前記１つ以上の吸熱材料が、上記上限の正常動作温度と、前記リチウムイオンコア部材が熱暴走を起こしやすい温度よりも高い閾値温度との間において１つ以上の吸熱反応を受けるよう選択される、請求項１に記載のリチウムイオン電池。
【請求項１２】
前記１つ以上の吸熱材料の少なくとも１つに関連する吸熱反応によりガスが発生する、請求項１に記載のリチウムイオン電池。
【請求項１３】
前記１つ以上の吸熱材料の少なくとも１つがセラミックマトリックス内に含まれており、前記セラミックマトリックスが前記ガスを通気するのに十分な多孔性を有しており、これによりここから熱が除去される、請求項１２に記載のリチウムイオン電池。
【請求項１４】
セラミックマトリックスと吸熱材料との比が、重量で１：１９から９：１の範囲にある、請求項１３に記載のリチウムイオン電池。
【請求項１５】
前記セラミックマトリックスが、１つ以上の無機ファイバー、無機微粒子材料およびバインダを含む、請求項１３に記載のリチウムイオン電池。
【請求項１６】
前記無機微粒子材料が、ヒュームドセラミック、乳白剤およびこれらの混合物からなる群から選択される、請求項１５に記載のリチウムイオン電池。
【請求項１７】
セラミック混合物が乾式成形によって形成されている、請求項１３に記載のリチウムイオン電池。
【請求項１８】
前記セラミックマトリックスが、（ｉ）ファイバー構成体を含むプリフォームを形成すること、および（ｉｉ）前記プリフォームに前記１つ以上の吸熱材料を含浸することにより形成されている、請求項１３に記載のリチウムイオン電池。
【請求項１９】
セラミック混合物が、重量％で：
セラミック酸化物粉末    ０−６０重量％
乳白剤    ０−３０重量％
吸熱材料    １０−９０重量％
乾燥バインダ    ０−１０重量％
液体バインダ    ０−６０重量％
ファイバー    ０−６０％
を含む、請求項１３に記載のリチウムイオン電池。
【請求項２０】
前記セラミックマトリックスが、前記１つ以上の吸熱材料の勾配を規定する、請求項１３に記載のリチウムイオン電池。
【請求項２１】
前記セラミックマトリックスが、前記セラミックマトリックス内部の少なくとも１つの領域と比較して、より高い濃度の前記１つ以上の吸熱材料を有する表面領域を画定する、請求項１３に記載のリチウムイオン電池。
【請求項２２】
前記１つ以上の吸熱材料が、前記支持部材を収容する構成かつ寸法にされている、少なくとも１つの凹みを画定する成形体に形成されている、請求項１に記載のリチウムイオン電池。
【請求項２３】
前記成形体が、それぞれ支持部材を収容する構成かつ寸法にされている、複数の凹みを画定する、請求項２２に記載のリチウムイオン電池。
【請求項２４】
前記１つ以上の吸熱材料が、
【表１】
2017524240.tif 000001
からなる群から選択され、
表中、「分解のおよその開始」は、前記吸熱材料の吸熱反応が開始することが予期される温度である、
請求項１に記載のリチウムイオン電池。
【請求項２５】
吸熱材料の群が炭酸水素ナトリウムをさらに含む、請求項２４に記載のリチウムイオン電池。
【請求項２６】
前記１つ以上の吸熱材料が、吸熱反応の開始に関して第１のおよその開始温度により特徴づけられる第１の吸熱材料、および吸熱反応の開始に関して第２のおよその開始温度により特徴づけられる第２の吸熱材料を含んでおり、前記第１のおよその開始温度が前記第２のおよその開始温度と異なる、請求項１に記載のリチウムイオン電池。
【請求項２７】
内部に前記支持部材が配置されている密封筐体および前記密封筐体に関連する少なくとも１つの通気孔をさらに含む、請求項１に記載のリチウムイオン電池。
【請求項２８】
前記少なくとも１つの通気孔が、所定の閾値圧レベルを超過する前記密封筐体内の圧力に応答して作動する、請求項２７に記載のリチウムイオン電池。
【請求項２９】
前記少なくとも１つの通気孔に近接して、火炎防止器をさらに含む、請求項２７に記載のリチウムイオン電池。
【請求項３０】
前記少なくとも１つの通気孔が、前記１つ以上の吸熱材料に関連する吸熱反応に基づいて一部が作動する、請求項２７に記載のリチウムイオン電池。
【請求項３１】
前記作動通気孔から放出されるガスが、前記１つ以上の吸熱材料に関連する前記吸熱反応から発生したガスを含む、請求項３０に記載のリチウムイオン電池。
【請求項３２】
前記１つ以上の吸熱材料に関連する前記吸熱反応から発生した前記ガスが、前記通気孔から通気される際に、前記密封筐体内部からの熱を伝達する、請求項３０に記載のリチウムイオン電池。
【請求項３３】
前記１つ以上の吸熱材料に関連する前記吸熱反応から発生した前記ガスが非毒性であり、前記非毒性ガスは、当該非毒性ガスが前記通気孔から通気される際に、前記密閉筐体内部から発生し、通気される１種以上の毒性ガスを希釈する、請求項３１に記載のリチウムイオン電池。
【請求項３４】
前記所定の閾値圧レベルが、約１５ｐｓｉから２００ｐｓｉの間である、請求項２８に記載のリチウムイオン電池。
【請求項３５】
前記１つ以上の吸熱材料が、ヒドロキシル成分、含水成分、少なくとも１つの炭酸塩と組み合わせたヒドロキシル成分または含水成分、少なくとも１つの硫酸塩と組み合わせたヒドロキシル成分または含水成分、無水炭酸塩、無水硫酸塩、無水リン酸塩およびこれらの組合せを含む材料からなる群から選択される、請求項１に記載のリチウムイオン電池。
【請求項３６】
前記支持部材を囲繞し、密封する密封容器をさらに含んでおり、
前記複数のリチウムイオンコア部材のそれぞれが、アノード、カソードおよび当該アノードと当該カソードとの間に配設されたセパレータ、ならびに電解質を含み、および
前記密封容器が、前記アノードおよびカソードのそれぞれが密封容器のキャビティに配置されたときに、これらアノードおよびカソードが直接暴露される共用の空気領域を画定する、請求項１に記載のリチウムイオン電池。